(57)【要約】【課題】入力作業を効率よく行うことができる入力表示装置及び入力表示方法、並びにプログラムを提供する。【解決手段】画面を表示する表示部１５ａと、画面上への接触を検知し、当該画面上の位置情報を含む操作信号を発生する入力部１５ｂと、操作信号に基づいて画面表示を制御する制御部２１とを備え、制御部２１は、複数の項目を有する第１の表示領域と、項目の選択に応じて表示され、複数の入力欄を有する第２の表示領域とを配する第１の画面を表示し、入力欄に対応する位置情報が入力されると、第２の表示領域と、入力キーが配列された第３の表示領域とを配する第２の画面に切り替える。【選択図】図２
2009086972.tif 000002
【特許請求の範囲】
【請求項１】
画面を表示する表示手段と、
上記画面上への接触を検知し、当該画面上の位置情報を含む操作信号を発生する入力手段と、
上記操作信号に基づいて画面表示を制御する表示制御手段とを備え、
上記表示制御手段は、複数の入力欄及び該入力欄の種別を示す項目欄を有する複数のシートの上記項目欄が複数配列された第１の表示領域と、上記各項目欄の選択に応じて切り替え表示されるシートの複数の上記入力欄が配列された第２の表示領域とを配する第１の画面を表示し、上記入力欄に対応する位置情報が入力されると、上記第２の表示領域と、入力キーが配列された第３の表示領域とを配する第２の画面に切り替えることを特徴とする入力表示装置。
【請求項２】
上記表示制御手段は、上記第２の表示領域の複数の入力欄以外の部分又は上記第３の表示領域のクローズ釦部分に対応する位置情報が入力されると、上記第２の画面を上記第１の画面に切り替えることを特徴とする請求項１記載の入力表示装置。
【請求項３】
上記表示制御手段は、上記第２の画面に切り替えた後、所定期間内に操作信号が入力されなかった場合、上記第１の画面に切り替えることを特徴とする請求項１記載の入力表示装置。
【請求項４】
上記第１の画面及び上記第２の画面における第２の表示領域の大きさは、同じであることを特徴とする請求項１記載の入力表示装置。
【請求項５】
上記複数の入力欄は相互に関連する事項が入力され、一の入力欄は他の入力欄を参照しながら入力可能とされていることを特徴とする請求項１記載の入力表示装置。
【請求項６】
上記入力キーは、数字キーであることを特徴とする請求項１記載の入力表示装置。
【請求項７】
画面上への接触を検知し、当該画面上の位置情報を含む操作信号を発生し、当該操作信号に基づいて画面表示を制御する入力表示方法において、
複数の入力欄及び該入力欄の種別を示す項目欄を有する複数のシートの上記項目欄が複数配列された第１の表示領域と、上記各項目欄の選択に応じて切り替え表示されるシートの上記入力欄が複数配列された第２の表示領域とを配する第１の画面を表示し、
上記入力欄に対応する位置情報が入力されると、上記第２の表示領域と、入力キーが配列された第３の表示領域とを配する第２の画面に切り替えることを特徴とする入力表示方法。
【請求項８】
画面上への接触を検知し、当該画面上の位置情報を含む操作信号を発生し、当該操作信号に基づいて画面表示を制御する処理をコンピュータに実行させるプログラムであって、
複数の入力欄及び該入力欄の種別を示す項目欄を有する複数のシートの上記項目欄が複数配列された第１の表示領域と、上記各項目欄の選択に応じて切り替え表示されるシートの上記入力欄が複数配列された第２の表示領域とを配する第１の画面を表示し、
上記入力欄に対応する位置情報が入力されると、上記第２の表示領域と、入力キーが配列された第３の表示領域とを配する第２の画面に切り替えることを特徴とするプログラム。
【発明の詳細な説明】
【技術分野】
【０００１】
本発明は、入力作業を効率よく行うことが可能な入力表示装置及び入力表示方法、並びにプログラムに関するものである。
【背景技術】
【０００２】
近年、使用環境や機器形態を要因として、いわゆるタッチパネル方式の情報端末が普及している。タッチパネルは、指や専用のペンで画面に触れることで、コンピュータの操作を行なうことができるため、ＰＤＡ（Personal Digital Assistant）、銀行のＡＴＭ（Automated Teller Machine）、駅の券売機などで幅広く利用されている。
【０００３】
タッチパネルを用いた入力操作では、入力キーが配列されたキーパッドの画面が表示される。例えば、入力項目が選択されたとき、その項目に対応したテンキー画面又は文字キー画面を表示することにより、入力項目に文字等を入力することが可能となる（例えば、特許文献１参照。）。
【０００４】
【特許文献１】特開２００７−１４９０３３号公報
【発明の開示】
【発明が解決しようとする課題】
【０００５】
しかしながら、入力項目の選択により、テンキー画面又は文字キー画面に切り替わると、他の項目を見ることができない。このため、他の項目を参照する場合、画面を戻さなくてはならなかった。
【０００６】
また、画面の一部にキーパッド領域を設けたとしても、キーパッド領域が画面のかなりの部分を占めてしまうため、例えば、複数の入力欄を一覧表示することができない等、入力作業を効率よく行うことが困難であった。
【０００７】
本発明は、これらの問題点を鑑みてなされたものであり、入力作業を効率よく行うことができる入力表示装置及び入力表示方法、並びにプログラムを提供することを目的とする。
【課題を解決するための手段】
【０００８】
上述した課題を解決するために、本発明に係る入力表示装置は、画面を表示する表示手段と、上記画面上への接触を検知し、当該画面上の位置情報を含む操作信号を発生する入力手段と、上記操作信号に基づいて画面表示を制御する表示制御手段とを備え、上記表示制御手段は、複数の入力欄及び該入力欄の種別を示す項目欄を有する複数のシートの上記項目欄が複数配列された第１の表示領域と、上記各項目欄の選択に応じて切り替え表示されるシートの上記入力欄が複数配列された第２の表示領域とを配する第１の画面を表示し、上記入力欄に対応する位置情報が入力されると、上記第２の表示領域と、入力キーが配列された第３の表示領域とを配する第２の画面に切り替えることを特徴としている。
【０００９】
また、本発明に係る入力表示方法は、画面上への接触を検知し、当該画面上の位置情報を含む操作信号を発生し、当該操作信号に基づいて画面表示を制御する入力表示方法において、複数の入力欄及び該入力欄の種別を示す項目欄を有する複数のシートの上記項目欄が複数配列された第１の表示領域と、上記各項目欄の選択に応じて切り替え表示されるシートの上記入力欄が複数配列された第２の表示領域とを配する第１の画面を表示し、上記入力欄に対応する位置情報が入力されると、上記第２の表示領域と、入力キーが配列された第３の表示領域とを配する第２の画面に切り替えることを特徴としている。
【００１０】
また、本発明に係るプログラムは、画面上への接触を検知し、当該画面上の位置情報を含む操作信号を発生し、当該操作信号に基づいて画面表示を制御する処理をコンピュータに実行させるプログラムであって、複数の入力欄及び該入力欄の種別を示す項目欄を有する複数のシートの上記項目欄が複数配列された第１の表示領域と、上記各項目欄の選択に応じて切り替え表示されるシートの上記入力欄が複数配列された第２の表示領域とを配する第１の画面を表示し、上記入力欄に対応する位置情報が入力されると、上記第２の表示領域と、入力キーが配列された第３の表示領域とを配する第２の画面に切り替えることを特徴としている。
【発明の効果】
【００１１】
本発明によれば、入力欄に対応する画面上への接触の検知によって、入力キーが表示されるとともに、入力欄が複数配列されたシートを切り替え表示する項目欄に替わって入力キーが表示されることとなり、表示領域が有効に使用される。これにより、他の入力欄等を参照できるため、ユーザは入力作業を効率よく行うことができる。
【発明を実施するための最良の形態】
【００１２】
以下、本発明が適用された入力表示装置について、図面を参照しながら詳細に説明する。この入力表示装置は、例えば駅やホテルなどの公共の場に設置され、ユーザが持参したメモリカード等のリムーバル記憶媒体に記憶されている画像データを印刷するサービスを提供するプリントキオスク端末に適用されるプリントシステムに用いられるものである。このプリントシステムは、写真が印刷されることに鑑み、プリンタ装置に、色再現性に優れる昇華型熱転写方式のプリンタが用いられている。
【００１３】
図１に示すように、本発明が適用されたプリントシステム１は、メモリカード等のリムーバル記録媒体より画像データが入力され印刷する画像データを表示し選択させるための画像データ表示装置１０と、画像データ表示装置１０で選択された画像データを印刷するプリンタ装置３０とを備えている。そして、例えば、画像データ表示装置１０とプリンタ装置３０とは、有線又は無線で接続されており、隣り合うように設置され、あるいは一つの筐体内に組み込まれている。
【００１４】
図２に示すように、プリントシステム１を構成する画像データ表示装置１０は、ユーザが持参したリムーバル記録媒体を読み出すための各種ドライブを備えている。具体的に、フラッシュメモリ等の半導体メモリを記憶素子に用いＵＳＢ（Universal Serial Bus）インタフェースで記憶素子に記憶された画像データを読み出すＵＳＢフラッシュメモリリーダ１１と、ＣＤ（Compact Disc）、ＤＶＤ（Digital Versatile Disk）等の光ディスクより画像データを読み出す光ディスクドライブ１２と、フラッシュメモリ等の半導体メモリを記憶素子に用いるメモリカードより記憶素子に格納された画像データを読み出すメモリカードリーダ１３と、ユーザが持参した写真を光学的に読み取るスキャナ１４とを備えている。
【００１５】
また、この画像データ表示装置１０は、ＵＳＢフラッシュメモリリーダ１１、光ディスクドライブ１２、メモリカードリーダ１３、スキャナ１４から入力された画像データを表示すると共にユーザによって操作されるタッチパネル１５と、タッチパネル１５に表示する画像データを一時的に格納する画像メモリ１６と、印刷枚数や画像印刷時画像データの周囲に設けられるフレーム等のテンプレートの使用回数等のログデータを格納する記憶部１７と、全体の動作を制御する制御プログラムや画像データを装飾するフレーム等のテンプレート、画像データに追加する文字及び記号テーブル、及び色テーブルが格納されたＲＯＭ１８と、制御プログラムや選択されたフレーム等のテンプレート等が一時的にロードされるＲＡＭ１９と、所定の時間を計時するタイマ２０と、制御プログラムやユーザによって入力された操作信号に基づいて全体の動作を制御する制御部２１とを備えている。
【００１６】
また、画像データ表示装置１０は、プリンタ装置３０と印刷する画像データを出力するプリンタＩ／Ｆ２２と、インターネット等のネットワークを介して外部の管理装置４０等と通信を行う通信Ｉ／Ｆ２３とを備えている。
【００１７】
タッチパネル１５は、画像データ等を表示する表示部１５ａと、ユーザによって操作されることによって操作信号を発生する入力部１５ｂとを備えている。このタッチパネル１５は、指や専用のペンで画面に触れることで、指や専用のペンが触れた位置を検知して画面上の位置を指定し、制御部２１に操作信号を入力する。具体的には、圧力の変化を感知したり、静電気による電気信号を感知して画面上の位置を特定し、操作信号を発生する。
【００１８】
例えば、タッチパネル１５には、ＵＳＢフラッシュメモリ、光ディスク、メモリカード等に格納された複数の画像データをサムネイル表示し、表示されたサムネイル画像の一又は複数を選択できるようになっている。
【００１９】
画像メモリ１６は、タッチパネル１５に表示する画像データを格納するメモリであって、例えば、選択された画像データの加工処理、例えばズーム処理、ズームする領域を移動する処理、画像データの回転処理、文字等のテキストデータの追加処理、フレームとの合成処理等を行ったとき、加工後の画像データを格納し、タッチパネル１５に出力する。
【００２０】
記憶部１７は、ハードディスク等で構成されており、印刷のログデータ等を記録する。例えば、記憶部１７には、ログデータとして、画像データと合成されるフレームの選択数や印刷枚数等が格納される。このログデータは、管理装置４０に送信されることによって、管理者がフレーム等のテンプレートの人気度合い等の参考に利用することができる他、ユーザがフレーム等のテンプレートを選択する際、人気のあるテンプレートを優先的に、テンプレートの選択画面に表示する処理を行うことに用いることができる。また、ログデータは、ＵＳＢフラッシュメモリリーダ１１、光ディスクドライブ１２、メモリカードリーダ１３等に装着されたリムーバル記録媒体に格納することもできる。また、記憶部１７には、フレーム等のデータが格納される。
【００２１】
ＲＯＭ１８は、ＥＰ−ＲＯＭ（Erasable Programmable Read-Only Memory）等でなり、読み込んだ画像データをサムネイル表示するためのブラウザ、画像データを加工するための加工プログラム等を格納している。そして、このような各種プログラムは、操作信号に応じてＲＡＭ１９に読み込まれる。
【００２２】
タイマ２０は、時刻や所定時間を計時する。例えば、タイマ２０によって、上述のログデータは、印刷時刻等に関連付けて記憶部１７に格納されることになる。また、所定期間内の印刷枚数や選択回数をカウントするとき、１箇月間等の所定期間をカウントする。
【００２３】
制御部２１は、ＣＰＵ等で構成されており、操作信号等に応じてプログラムに従った所定の演算処理を行う。
【００２４】
例えば、制御部２１は、タッチパネル１５で所定の単位画像が選択されると、選択された画像データを選択状態にし、表示状態を変える処理を行い、また、選択された画像データに対して加工処理の操作がされたとき、操作信号に応じて、選択された画像データに対して、ズーム処理、ズームする領域を移動する処理、画像データの回転処理、文字等のテキストデータの追加処理、フレームとの合成処理等を行う。
【００２５】
プリンタＩ／Ｆ２２は、プリンタ装置３０と有線又は無線で接続され、印刷する画像データをプリンタ装置３０に対して出力する。また、通信Ｉ／Ｆ２３は、インターネット等のネットワークを介して例えば管理装置４０と接続されている。例えば、通信Ｉ／Ｆ２３は、記憶部１７に格納されたログデータ等を管理装置４０に、ＴＣＰ／ＩＰ等所定のプロトコルに従って送信する。
【００２６】
プリンタＩ／Ｆ２２を介して画像データ表示装置１０と接続されるプリンタ装置３０は、図２に示すように、普通紙等に対してインクリボンの染料を昇華してカラー画像を形成するサーマルヘッド３１と、印刷する印刷データを画像データ表示装置１０のプリンタＩ／Ｆ２２より入力された画像データより生成する印刷データ生成部３２と、サーマルヘッド３１を駆動制御するヘッド制御部３３と、インクリボンを走行させるインクリボン走行部３４と、記録紙を搬送する記録紙搬送部３５とを備えている。
【００２７】
サーマルヘッド３１は、ロール紙等の幅方向に直線的に複数個の発熱素子が配列されており、印画データに応じた駆動電流が発熱素子に供給されることによって、複数の発熱素子を選択的に発熱させる。このサーマルヘッド３１は、プラテンと対峙しており、記録紙に対してインクリボンを圧接し、インクリボンの側から熱エネルギを印加することによって、染料等を昇華し、記録紙に染料を転写させる。
【００２８】
印刷データ生成部３２は、画像データを印刷データに変換する。具体的に、印刷データ生成部３２は、画像データをインク色であるＹＭＣ色空間に変換する色変換処理を施し、ロール紙の発色特性に合わせたガンマ変換処理等の所定の処理を行う。そして、ヘッド制御部３３は、印刷データ生成部３２で生成された印刷データに応じてサーマルヘッド３１の駆動信号を生成し、この駆動信号をサーマルヘッド３１に供給することによって、印刷する画像データに応じてサーマルヘッド３１を駆動制御する。
【００２９】
また、インクリボン走行部３４は、リボンカートリッジに、供給リールと巻回リールとに巻回されたインクリボンを走行させる。ここで、インクリボンは、例えばイエロー、シアン、マゼンタ、ラミネートフィルムの順で走行方向に面順次で並んで設けられており、一組のイエロー、シアン、マゼンタ、ラミネートフィルムで一枚の写真を記録紙に形成するようになっている。
【００３０】
記録紙搬送部３５は、搬送ローラや複数の駆動ローラ等を有しており、ロール紙等の記録紙を、給紙部からサーマルヘッド３１を介して排紙部まで搬送する。記録紙には、画像を形成するため、イエロー、シアン、マゼンタ、ラミネートフィルムを順に転写する必要がある。そこで、記録紙搬送部３５は、先ず、記録紙をインクリボンと同期させて走行させることでイエローが記録紙に熱転写されると、次いで、記録紙を逆方向に走行させて頭出しをし、シアンがイエロー上に熱転写されるようにし、更に、記録紙を逆方向に走行させて頭出しをし、マゼンタがシアン上に熱転写されるようにし、これを繰り返して、イエロー、シアン、マゼンタ、ラミネートフィルムの順で記録紙に対して熱転写を行うことができるようにする。
【００３１】
次に、本発明が適用されたプリンタシステムにおいて、タッチパネル１５を用いた情報の入力操作について説明する。上述したように、制御部２１は、タッチパネル１５によるＧＵＩ（Graphical User Interface）を実現している。具体的には、タッチパネル１５が画面上への接触を検知し、入力部１５ｂが当該画面上の位置情報を含む操作信号を発生する。そして、制御部２１が入力部１５ｂからの操作信号に基づいて表示部１５ａの画面表示を制御している。以下では、プリンタシステムの管理者が設定を行う際の設定画面を例に挙げて説明する。
【００３２】
図３は、システムの設定画面例を示す図である。この設定画面例は、タブ表示領域５０と、システム設定領域６０とを有しており、タブ表示領域５０には、複数の入力欄及び該入力欄の種別を示す項目欄を有する複数のシートの項目欄が複数配列され、システム設定領域６０には、各項目の選択に応じて切り替え表示されるシートの入力欄が複数配列されている。
【００３３】
タブ表示領域５０は、ドキュメントを切り替えて表示するためのＧＵＩであり、切り替え可能な設定項目が表示されている。この画面例では、「アイコン入力」、「アイコン出力」、「基本価格」、「ボリューム価格」、「プロモーション」、「テンプレート」、「会計」、「システム１」、「システム２」、「カスタム１」及び「カスタム２」の設定項目がそれぞれボックス内にテキストで表示され、各ボックスが縦列配置されている。
【００３４】
システム設定領域６０は、タブ表示領域５０内の「システム１」の項目のボックスの選択により表示されたものであり、システム内容を設定する複数の入力欄６１〜６７を有している。システム設定部には、音量設定釦と、ボイスガイダンス設定釦と、入力してからリセットするまで時間を設定するタイムアウト（分）入力欄６１とが表示されている。また、パスワード設定部には、管理者用パスワード入力欄６２と、オペレータ用パスワード入力欄６３と、オーダー終了時のパスワード入力を設定する精算パスワード設定釦と、デモ用パスワード入力欄６４と、デモ用のプリント枚数を設定するデモプリント制限入力欄６５と、オペレータ接続設定釦とが表示されている。また、言語設定部には、セッティング釦と、国旗設定釦とが表示されている。また、ローカルタイム設定部には、年／月／日入力欄６６と、時／分入力欄６７と、夏時間調整設定釦とが表示されている。
【００３５】
また、この設定画面例では、プリントをキャンセルするキャンセル釦、オーダー状況を確認するログ釦、電源をオフするシャットダウン釦、設定をセーブしてメイン画面に戻る管理者ログオフ釦、及びオーダー表を閲覧するプリントマネージャー釦の複数のオペレーションシステム釦が表示されている。なお、これらのオペレーションシステム釦は常に表示することなく、必要に応じて表示するようにしても構わない。
【００３６】
続いて、システムの設定画面の入力操作について説明する。管理者は、設定画面上の所望の設定項目を指先で触れることで、現設定を変更等することができる。ここで、タッチパネル１５により複数の入力欄６１〜６７のうちいずれか一つの入力欄が選択されると、図４に示すように、タブ表示領域５０の代わりにキーパッド７０が表示される。具体的には、制御部２１が、操作信号に含まれる位置情報が入力欄の表示範囲内にあると判別した場合、キーパッド７０を含む画面に切り替えている。
【００３７】
キーパッド７０は、複数の数字キーと、表示部７１と、アプライ釦７２と、クローズ釦７３とが配置されている。表示部７１は、数字キーにより入力された数字が表示され、アプライ釦７２により表示部７１に表示された数字が入力欄に反映される。また、クローズ釦７３は、キーパッド７０を画面から消去させるものである。
【００３８】
このような画面の切り替えにおいて、キーパッド７０の表示内容は、選択された入力欄に応じて変更することが好ましい。例えば、パスワード入力欄であれば、文字キーを含むキーパッド７０を表示し、時間、数等の入力欄であれば、数字キーのキーパッド７０を表示する。また、キーパッド７０の表示領域は、タブ表示領域５０の大きさと同じであることが好ましい。これにより、入力欄を選択する度にシステム設定領域６０の大きさが変化するのを防ぐことができる。また、この画面例では、右利きの人のために右側にキーパッド７０を配置しているが、例えば、キーパッド７０をタブ表示領域５０の位置に配置してもよい。キーパッド７０がタブ表示領域５０に置き替われば、入力欄６１〜６７の画面上の位置が変化しないため、ユーザの目線の移動を少なくすることができる。
【００３９】
入力操作後、管理者がクローズ釦７３を押圧すると、画面からキーパッド７０が消え、図３に示す画面例のようにタブ表示領域５０が表示される。なお、入力欄以外を示す位置情報の入力によりキーパッド７０を画面から消すようにしても構わない。また、所定期間内に操作信号が入力されない場合、キーパッド７０を画面から消すようにしても構わない。具体的には、操作信号が入力されてから時間をタイマ２０にてカウントし、所定期間内に次の操作信号が入力されなかった場合、図３に示す設定画面に戻す。また、タブ表示領域５０を表示させずにシステム設定領域６０を拡大表示するようにしても構わない。
【００４０】
このように管理者が入力欄６１〜６７をタッチした場合、すなわち、管理者が入力の意思表示した場合に、タブ表示領域５０の代わりにキーパッド７０を表示することにより、限られた表示領域を有効に使用することができる。また、システム設定領域６０の大きさが変化しないため、目線の移動が少なく、管理者は入力作業を効率よく行うことができる。
【００４１】
図５は、販売促進のためのプロモーションの設定画面例を示す図である。この設定画面例は、タブ表示領域５０と、プロモーション設定領域８０とを有しており、タブ表示領域５０には、複数の入力欄及び該入力欄の種別を示す項目欄を有する複数のシートの項目欄が複数配列され、プロモーション設定領域８０には、各項目の選択に応じて切り替え表示されるシートの入力欄が複数配列されている。
【００４２】
タブ表示領域５０は、図３に示す設定画面例と同様であり、各設定項目がそれぞれボックス内にテキストで表示され、各ボックスが縦列配置されている。
【００４３】
プロモーション設定領域８０は、タブ表示領域５０内の「プロモーション」の項目のボックスの選択により表示されたものであり、販売促進のためのパッケージを設定する複数の入力欄８１〜９６を有している。
【００４４】
バリューパッケージ部は、パッケージＡとパッケージＢとポートレートパッケージの設定をすることが可能となっており、それぞれパッケージの価格を設定するパッケージ価格入力欄８１ａ〜８１ｃを有している。各パッケージは、プリントサイズ毎に枚数を設定できるように、３．５×５インチサイズの枚数入力欄８２ａ〜８２ｃと、４×６インチサイズの枚数入力欄８３ａ〜８３ｃと、５×７インチサイズの枚数入力欄８４ａ〜８４ｃと、６×８インチサイズの枚数入力欄８５ａ〜８５ｃと、８×１０インチサイズの枚数入力欄８６ａ〜８６ｃと、札入れサイズの枚数入力欄８７ａ〜８７ｃとを有している。また、パッケージＡとパッケージＢは、ＣＤラベル作成設定釦と、インデックスプリント設定釦とを有している。
【００４５】
フォトカード部は、４×８インチサイズ、５×７インチサイズ、６×８インチサイズのフォトカードのパッケージを設定することが可能となっている。４×８インチサイズのフォトカードはパッケージＡとパッケージＢとが設定可能であり、それぞれパッケージの価格を設定するパッケージ価格入力欄８８ａ、８８ｂと４×８インチサイズの枚数入力欄８９ａ、８９ｂとを有している。また、プルーフ印刷の枚数を０〜５の範囲で設定可能な入力欄９０と、ビットマップオーバーレイ印刷をオンオフする設定釦とを有している。なお、ビットマップオーバーレイ印刷は、ビットマップデータを重ね合わせて印刷するものである。また、５×７インチサイズのフォトカードも同様にパッケージＡとパッケージＢとが設定可能であり、それぞれパッケージの価格を設定するパッケージ価格入力欄９１ａ、９１ｂと５×７インチサイズの枚数入力欄９２ａ、９２ｂとを有している。また、プルーフ印刷の枚数を０〜５の範囲で設定可能な入力欄９３と、ビットマップオーバーレイ印刷をオンオフする設定釦とを有している。また、６×８インチサイズのフォトカードも同様にパッケージＡとパッケージＢとが設定可能であり、それぞれパッケージの価格を設定するパッケージ価格入力欄９４ａ、９４ｂと６×８インチサイズの枚数入力欄９５ａ、９５ｂとを有している。また、プルーフ印刷の枚数を０〜５の範囲で設定可能な入力欄９６と、ビットマップオーバーレイ印刷をオンオフする設定釦とを有している。
【００４６】
また、この設定画面例では、図３に示す設定画面例と同様に、オペレーションシステム釦が表示されているが、必要に応じて表示するようにしても構わない。
【００４７】
続いて、プロモーションの設定画面の入力操作について説明する。管理者は、設定画面上の所望の設定項目を指先で触れることで、現設定を変更等することができる。ここで、タッチパネル１５により複数の入力欄８１〜９６のうちいずれか一つの入力欄が選択されると、図６に示すように、タブ表示領域５０の代わりにキーパッド７０が表示される。具体的には、制御部２１が、操作信号に含まれる位置情報が入力欄の表示範囲内にあると判別した場合、キーパッド７０を含む画面に切り替えている。なお、キーパッド７０は、図４に示すものと同様である。
【００４８】
このように管理者が入力欄８１〜９６をタッチした場合、すなわち、管理者が入力の意思表示した場合に、タブ表示領域５０の代わりにキーパッド７０を表示することにより、限られた表示領域を有効に使用することができる。また、プロモーション設定領域６０の大きさが変化しないため、目線の移動を減少させることができる。また、画面スペースを有効に使用することにより、プロモーション設定領域６０の複数の入力欄には相互に関連する情報を一覧表示することができるため、管理者はパッケージの金額と内訳を相互に参照しながら、価格のバランスを考えて入力することができる。
【００４９】
なお、本発明は上述した実施の形態のみに限定されるものではなく、本発明の要旨を逸脱しない範囲において種々の変更が可能であることは勿論である。例えば、本実施形態では、プリントシステムを例として説明したが、本発明は、電話回線、専用回線等を介して通信する通信端末装置にも適用可能である。また、上述の実施の形態では、ハードウェアの構成として説明したが、これに限定されるものではなく、任意の処理を、ＣＰＵ（Central Processing Unit）にコンピュータプログラムを実行させることにより実現することも可能である。この場合、コンピュータプログラムは、記録媒体に記録して提供することも可能であり、また、インターネットその他の伝送媒体を介して伝送することにより提供することも可能である。
【図面の簡単な説明】
【００５０】
【図１】本発明が適用されたプリントシステムを示す斜視図である。
【図２】プリントシステムを示すブロック図である。
【図３】システム設定画面を説明するための図である。
【図４】入力操作におけるシステム設定画面を説明するための図である。
【図５】プロモーション設定画面を説明するための図である。
【図６】入力操作におけるプロモーション設定画面を説明するための図である。
【符号の説明】
【００５１】
１０  画像データ表示装置、１１  ＵＳＢフラッシュメモリリーダ、１２  光ディスクドライブ、１３  メモリカードリーダ、１４  スキャナ、１５  タッチパネル、１５ａ  表示部、１５ｂ  入力部、１６  画像メモリ、１７  記憶部、２０  タイマ、２１  制御部、３０  プリンタ装置、３１  サーマルヘッド、３２  印刷データ生成部、３３  ヘッド制御部、３４  インクリボン走行部、３５  記録紙搬送部、３５  記録紙走行部、４０  管理装置
【図１】
2009086972.tif 000003
【図２】
2009086972.tif 000004
【図３】
2009086972.tif 000005
【図４】
2009086972.tif 000006
【図５】
2009086972.tif 000007
【図６】
2009086972.tif 000008